(57)【要約】【課題】フォーカシングの精度を高め、故障率が低下するボイスコイルモータ式のフォーカシングアクチュエータを提供する。【解決手段】固定取付ユニットは、固定フレーム２０と四つの磁石Ｍとを含み、固定フレーム２０はプラスチック射出成形で覆われた金属形成物であって、磁石Ｍはそれぞれ固定フレーム２０の内側に設置されている。可動取付ユニットは、固定フレーム２０中に設けられ、レンズが内部に設けられるレンズ装着筒３０と外側に設置されているコイル４０とを含む。荷重カバーユニット８０は、固定取付ユニットを装着する。二つの弾性部材５０は、固定取付ユニットと可動取付ユニットを弾性的に支持する。レンズ装着筒３０が正確に滑動することが可能であり、フォーカシング精度を高め、故障率を低下させることができる。【選択図】図３
2008058946.tif 000002
【特許請求の範囲】
【請求項１】
レンズおよび映像検知部品装着のためのボイスコイルモータ式のフォーカシングアクチュエータにおいて、
固定フレームと四つの磁石とを含み、前記固定フレームはプラスチック射出成形で覆われた金属形成物であって、前記磁石はそれぞれ前記固定フレームの内側に設置されている固定取付ユニットと、
前記固定フレーム中に設けられ、前記レンズが内部に設けられるレンズ装着筒と外側に設置されているコイルとを含む可動取付ユニットと、
前記固定取付ユニットを装着する荷重カバーユニットと、
前記固定取付ユニットと可動取付ユニットを弾性的に支持する二つの弾性部材と、
を備えることを特徴とするフォーカシングアクチュエータ。
【請求項２】
レンズおよび映像検知部品装着のためのボイスコイルモータ式のフォーカシングアクチュエータにおいて、
固定フレームと四つの磁石と複数の嵌合部とを有し、前記磁石はそれぞれ前記固定フレームの内側に設置され、前記嵌合部がフレーム本体の外側に設けられている固定取付ユニットと、
前記固定フレーム中に設けられ、前記レンズが内部に設けられるレンズ装着筒と外側に設置されているコイルとを含む可動取付ユニットと、
複数の押し引き部が板体の相対する角に形成され、さらに前記固定取付ユニットの各嵌合部に嵌合し、前記固定取付ユニットを装着するために用いられる荷重カバーユニットと、
前記固定取付ユニットと可動取付ユニットを弾性的に支持する二つの弾性部材と、
を備えることを特徴とするフォーカシングアクチュエータ。
【請求項３】
レンズおよび映像検知部品装着のためのボイスコイルモータ式のフォーカシングアクチュエータにおいて、
概ね四辺形を呈する固定フレームと四つの磁石とを有し、前記磁石はそれぞれ前記固定フレームの内側に設置されている固定取付ユニットと、
前記固定フレーム中に設けられ、前記レンズが内部に設けられるレンズ装着筒と外側に設置されているコイルとを含む可動取付ユニットと、
前記固定フレームの取付ユニットを装着するための荷重カバーと、
前記固定取付ユニットと可動取付ユニットを弾性的に支持する二つの弾性部材と、
を備えることを特徴とするフォーカシングアクチュエータ。
【請求項４】
レンズおよび映像検知部品装着のためのボイスコイルモータ式のフォーカシングアクチュエータにおいて、
固定フレームと四つの磁石と二つのロッド部材と二つの貫通孔とを有し、前記磁石はそれぞれ前記固定フレームの内側に設置され、前記二つの貫通孔は前記固定フレームの両側を貫通し、前記二つのロッド部材には前記貫通孔が穿設されている固定取付ユニットと、
前記固定フレーム中に設けられ、前記レンズが内部に設けられるレンズ装着筒と外側に設置されているコイルとを含む可動取付ユニットと、
前記固定フレームの取付ユニットを装着するための荷重カバーと、
前記固定取付ユニットと可動取付ユニットを弾性的に支持する二つの弾性部材と、
を備えることを特徴とするフォーカシングアクチュエータ。
【請求項５】
レンズおよび映像検知部品装着のためのフォーカシングアクチュエータにおいて、
固定フレームと四つの磁石と二つのロッド部材と二つの導接端子とを有し、前記磁石はそれぞれ前記固定フレームの内側に設置され、二つの貫通孔は前記固定フレームの両側を貫通し、前記二つの導接端子には前記貫通孔が穿設されている固定取付ユニットと、
前記固定フレーム中に設けられ、前記レンズが内部に設けられるレンズ装着筒と外側に設置されているコイルとを含む可動取付ユニットと、
前記固定フレームの取付ユニットを装着するための荷重カバーと、
前記固定取付ユニットと可動取付ユニットを弾性的に支持する二つの弾性部材と、
を備えることを特徴とするフォーカシングアクチュエータ。
【発明の詳細な説明】
【技術分野】
【０００１】
本発明は、ボイスコイルモータに関し、特に、ボイスコイルモータ式フォーカシングアクチュエータに関する。
【背景技術】
【０００２】
従来のボイスコイルモータ式フォーカシングアクチュエータは、主に、固定フレームと、前記固定フレーム内に可動で装着できるレンズ装着筒とを備えている。しかしながら、これらのボイスコイルモータ式フォーカシングアクチュエータの構造は、あまりにも複雑で、細々とした煩わしい組立て過程と、その組立てに費やす時間の浪費をもたらしている。さらに、この構造結合の方式は、今ひとつであり、構造の安定度を欠くことをも招いている。このほか、埃等の異物の侵入を容易に受け易いこともあり、ゆえに、改善が待たれている。
【発明の開示】
【発明が解決しようとする課題】
【０００３】
上述の欠点を鑑み、発明者は、苦心の研究を重ね、本発明のボイスコイルモータ式フォーカシングアクチュエータを得るに至った。
本発明の主な目的は、レンズ装着筒が固定フレームに対応してスムースに、そして、正確に滑動することができ、フォーカシングの精度を高め、故障率を低下させることが可能なボイスコイルモータ式フォーカシングアクチュエータを提供することである。
本発明の第二の目的は、さらに良好な弾力回復作用を備えるため、レンズ装着筒と固定フレームとの間により良い弾性支持効果を与えるボイスコイルモータ式フォーカシングアクチュエータを提供することである。
【課題を解決するための手段】
【０００４】
前掲の目的を達成するため、本発明が提供するボイスコイルモータ式フォーカシングアクチュエータは、レンズと映像検知部品を装着することが可能で、固定取付ユニットと、可動取付ユニットと、荷重カバーユニットと、二つの弾性部材とを含む。前記固定取付ユニットは、固定フレームと四つの磁石とを含み、該固定フレームはプラスチック射出成形で覆われた金属形成物である。前記磁石は、それぞれ前記固定フレームの内側に設置される。前記可動取付ユニットは、前記固定フレーム中に設けられ、前記レンズを内部に設けるレンズ装着筒と、外側に設置されるコイルとを含む。前記固定取付ユニットは前記荷重カバーユニットに装着され、前記二つの弾性部材は前記固定取付ユニットと可動取付ユニットを弾性的に支持する。
【発明を実施するための最良の形態】
【０００５】
図面と合わせ、以下により好ましい実施の形態を挙げ、本発明の構造、特徴および効果を説明する。
まず、図１より図９を参照すると、本発明の一実施例が提供するボイスコイルモータ式フォーカシングアクチュエータは、レンズおよび映像検知部品（図示せず）を装着するために用いられ、以下のものを含む。
前カバー板１０は、中央位置に逃がし孔１３が形成されている底板１１と、前記逃がし孔１３に相対する両側に設置された二つの貫通孔１５と、前記底板１１に相対する角に形成されて前記底板１１の底側に位置する二つの第１押し引き部１７と、該二つの第１押し引き部１７に相対する側面に開設された二つの嵌め込み溝１９とを備える。
【０００６】
固定フレーム２０は、ほぼ四辺形を呈し、プラスチック射出成形で覆われた金属成形物２１１によるフレーム本体２１と、前記フレーム本体２１の中央位置に形成された収容スペース２２と、前記フレーム本体２１の内側壁面に形成され、概ね凹状を呈する四つの磁気設置部２３と、それぞれ前記フレーム本体２１の内側の四つの角に位置し、前記各磁気設置部２３の間に介在する四つのスライド部２４と、前記フレーム本体２１の頂上側の相対する角に形成される二つの第１嵌合部２５と、それぞれ前記各第１嵌合部２５の側面に形成され、前記前カバー板１０の各第１押し引き部１７の嵌め込み溝１９に嵌合可能な二つの凸片２５１と、前記フレーム本体２１の底側の端角に形成された四つの第２嵌合部２６と、それぞれ前記各第２嵌合部２６の側面に形成された四つの凸片２６１と、前記フレーム本体２１の第２嵌合部２６の底側に設置された四つの連接キャップ２７とを備える。
【０００７】
四つの磁石Ｍは、それぞれ前記固定フレーム２０の各磁気設置部２３に位置し、前記磁石Ｍと前記固定フレーム２０は固定フレーム装着ユニットを構成することができる。
レンズ装着筒３０は、前記固定フレーム２０の収容スペース２２中に収容設置された筒体３１と、ねじ孔として前記筒体３１に並設され、前記レンズを装着するためのレンズ装着部３２と、前記筒体３１の頂上側に設置され、前記レンズ装着部３２が環設されている四つの連接キャップ３４と、前記筒体３１の外側に形成されたコイル巻装部３５と、それぞれ前記筒体３１外側の端角に形成され、前記固定フレーム２０の各スライド部２４に圧接し、前記レンズ装着筒３０を前記固定フレーム２０の収容スペース２２で滑動させることができる八つの当接部３６とを備える。
二つのロッド部材Ｓは、それぞれ相対する前記前カバー板１０の各貫通孔１５と前記レンズ装着筒３０の各貫通孔３３とを貫く。
【０００８】
コイル４０Ｂは、導線によって前記レンズ装着筒３０Ｂの巻装部３５Ｂ外側に巻装され、概ね四辺形の輪状を呈する。該コイル４０Ｂと前記レンズ装着筒３０Ｂは、即ち、可動取付ユニットを構成することができる。
二つの弾性部材５０は、それぞれ前記連結部５１の両端に開設され、該連結部５１と前記フレーム本体２１の各連接キャップ２７を套設するために用いられる二つの第１貫通孔５２と、それぞれ前記各連結部５１の両端に設けられ、前記レンズ装着筒３０が復帰運動を行うために用いられ、前記各第１貫通孔５２に隣接する二つの弾性部材５３と、それぞれ前記各弾性部材５３に開設され、前記レンズ装着筒３０の各連接キャップ３４を套設するために用いられる四つの第２貫通孔５４と、それぞれ前記各連結部５１に沿って延伸して形成される導接端子５５とを備える。
【０００９】
後カバー板７０は、中央位置に逃がし孔７２が形成されている底板７１と、それぞれ前記底板７１の四つの相対する角に開設され、前記フレーム本体２１の各連接キャップ２７を収容するための四つの貫通孔７３と、それぞれ前記各第２押し引き部７４の側面に開設され、前記固定フレーム２０の各第２嵌合部２６の凸片２６１と嵌合するために用いられる２つの嵌め込み溝７５と、前記底板７１の側面に開設され、前記導接端子５５を収納することができる２つの凹溝７６とを備える。
【００１０】
荷重カバー８０は、前記固定フレーム２０に設置され、前記後カバー板７０底側に並設され、前記映像検知部品を装着可能なカバー本体８１と、前記カバー本体８１の中央位置に開設された逃がし孔８２と、前記カバー本体８１の頂上側に相対する角に形成された二つの第３押し引き部８３と、それぞれ前記各第３押し引き部８３に相対する側面に開設された２つの嵌め込み溝８４と、前記カバー本体８１の片側に開設され、前記各弾性部材５０の導接端子５５を貫通するために用いられ、前記後カバー板７０の各凹溝７６に対応する二つの貫通孔８５とを備え、前記荷重カバー８０の各第３押し引き部８３の嵌め込み溝８４はそれぞれ前記固定フレーム２０の各第２嵌合部２６の凸片２６１に対応して嵌合することができる。前記荷重カバー８０、前記前カバー板１０および前記後カバー板７０は、荷重カバーユニットを構成する。
【００１１】
本実施例の作動については、前記コイル４０に電流を通電して、対応する各磁石Ｍが磁力作用を生み出すというものである。前記レンズ装着筒３０は、即ち、当接部３６を前記固定フレーム２０の各スライド部２４に圧接させ、概ね局部的な接触を呈し、前記レンズ装着筒３０と前記固定フレーム２０との間の摩擦を減少させることができる。それと同時に、前記レンズ装着筒３０は前記２つのロッド部材Ｓによって引導され、直線作動を精確に行うことができる。このほか、前記コイル４０に電流が通電されていない場合、前記弾性部材５０は、前記レンズ装着筒３０が前記固定フレーム２０に相対して元の位置に復帰するための運動を行えるようにする。
【００１２】
これより、本実施例のボイスコイルモータ式フォーカシングアクチュエータのレンズ装着筒は、固定フレームに対応してスムースに、そして、正確に滑動することが可能で、フォーカシングの精度を高め、故障率を低下させることができる。本実施例を運用する方法は、固定取付ユニットと荷重カバーユニットとの組立を簡易化し、その構造において単純化された特色を備える。さらに、本実施例の固定取付ユニットは、概ね矩形を呈する方法配置によって磁石が設置され、より優れた磁場感応性の効果を提供することができる。
【００１３】
図１０を参照すると、本発明の他の実施例が提供するボイスコイルモータ式フォーカシングアクチュエータは、概ね構造が前述した一実施例と同一であり、その相違は以下の通りである。
前記固定フレーム２０Ａは、四つのスライド部２４Ａをガイド溝として備え、八つの連接キャップ２７Ａを前記フレーム本体２１Ａに相対する角に設ける。
前記レンズ装着筒３０Ａは、突部としてなる八つの当接部３６Ａを備え、且つ前記固定フレーム２０Ａの各スライド部２４Ａに圧接し、前記レンズ装着筒３０Ａを前記固定フレーム２０Ａ内で滑動させることができる。
【００１４】
前記弾性部材５０Ａは、前記固定フレーム２０Ａの両側に並設される二つの部材であって、それぞれ概ね矩形を呈する連結部５１Ａと、前記連結部５１Ａの折れ曲がるところに開設され、前記フレーム本体２１Ａの各連接キャップ２７Ａを套設するために用いられる八つの第１貫通孔５２Ａと、前記連結部５１Ａの折れ曲がるところの内側に設けられた四つの弾性部５３Ａと、該各弾性部５３Ａの一端に開設され、前記レンズ装着筒３０Ａが復帰運動を行えるように前記レンズ装着筒３０Ａの各連接キャップ３４Ａを套設するために用いられる四つの第２貫通孔５４Ａと、それぞれ前記各連結部５１Ａに連結された二つの導接端子５５Ａおよび導接端子５６Ａとを備える。
【００１５】
前記荷重カバー８０Ａは、カバー本体８１Ａと、前記カバー本体８１Ａの片側に開設され、前記導接端子５５Ａおよび導接端子５６Ａの突出のために用いられる二つの凹溝８５Ａとを備える。
これより、本実施例は、一実施例と同一の効果を達成することができ、さらに嵌め込み溝の方法を運用し、固定取付ユニットと荷重カバーユニットとの組立を簡易化し、ロッド部材を必要としない単純化された構造を特色として有する。
【００１６】
図１１を参照すると、本発明のさらに他の実施例が提供するボイスコイルモータ式フォーカシングアクチュエータは、構造が概ね前述の一実施例と同一であることを示し、その相違点は以下の通りである。
前記固定フレーム２０Ｂは、凹溝としてなり、前記フレーム本体２１Ｂの内側に設けられた二つのスライド部２４Ｂと、前記フレーム本体２１Ｂの底側に設置された二つの導接端子とを備える。
【００１７】
前記レンズ装着筒３０Ｂは、概ね円形を呈する巻装部３５Ｂと、概ねロッド状を呈し、前記固定フレーム２０Ｂの各スライド部２４Ｂに圧接し、前記レンズ装着筒３０Ｂを前記固定フレーム２０Ｂ内で滑動させることができる四つの当接部３６Ｂとを備える。
前記コイル４０Ｂは、導線によって前記レンズ装着筒３０Ｂの巻装部３５Ｂの外側に巻装され、概ね円形を呈する。
【００１８】
前記弾性部材５０Ｂは、四つからなり、それぞれ概ねＬ形を呈する連結部５１Ｂであって、第１貫通孔５２Ｂがその折れ曲がるところに開設され、前記フレーム本体２１Ｂの各導接端子２７Ｂを套設するために用いられる連結部５１Ｂと、概ねＬ形を呈し、前記各連結部５１Ｂの両端に設けられた二つの弾性部５３Ｂと、前記各弾性部５３Ｂの折れ曲がるところに開設され、前記レンズ装着筒３０Ｂの各連接キャップ３４Ｂを套設するために用いられる二つの貫通孔５４Ｂとを備え、前記弾性部材５０Ｂは二つを一組としてそれぞれ前記固定フレーム２０Ｂの両側に設けられる。
【００１９】
前記荷重カバー８０Ｂは、前記カバー本体８１Ｂの底側の相対する端角に開設された前記各導接端子２７Ｂを突出させるために用いられる二つの貫通孔８５Ｂを備える。
これより、本実施例は、前述の一実施例と同一の効果を達成することができ、さらに固定取付ユニットの導接端子を運用して連接キャップとして兼用することが可能であり、簡易化された構造を特色として有する。
【００２０】
以上の実施例の説明より、本発明の特徴は以下に帰する。
１．本発明のボイスコイルモータ式フォーカシングアクチュエータは、固定フレームに対応し、レンズ装着筒がスムースに、そして、正確に滑動することが可能で、フォーカシング精度を高め、故障率を低下させることができる。
２．本発明のボイスコイルモータ式フォーカシングアクチュエータは、嵌め込み溝の方法を運用し、固定取付ユニットと荷重カバーユニットとの組立を簡易化し、単純化された構造を特色として有する。
【００２１】
３．本発明のボイスコイルモータ式フォーカシングアクチュエータは、概ね矩形を呈する設計で磁石を配置することにより、固定取付ユニットに対してより優れた磁場感応性の効果を提供することができる。
４．本発明のボイスコイルモータ式フォーカシングアクチュエータは、固定取付ユニットのロッド部材が構造の安定を強化し、スムースな滑動を確保するという特色を有する。
５．本発明のボイスコイルモータ式フォーカシングアクチュエータは、固定取付ユニットの導接端子が連接キャップとしての役割を兼ね備え、簡易化された構造を特色として有する。
【図面の簡単な説明】
【００２２】
【図１】本発明の一実施例によるボイスコイルモータ式フォーカシングアクチュエータを示す斜視図である。
【図２】本発明の他の実施例によるボイスコイルモータ式フォーカシングアクチュエータを示す斜視図である。
【図３】本発明の一実施例によるボイスコイルモータ式フォーカシングアクチュエータを示す分解斜視図である。
【図４】本発明の一実施例によるボイスコイルモータ式フォーカシングアクチュエータの別の角度から見た分解斜視図である。
【図５】本発明の一実施例によるボイスコイルモータ式フォーカシングアクチュエータを示す模式図である。
【図６】図１を６−６線で切断した断面図である。
【図７】図１を７−７線で切断した断面図である。
【図８】図１を８−８線で切断した断面図である。
【図９】図１を９−９線で切断した断面図である。
【図１０】本発明の他の実施例によるボイスコイルモータ式フォーカシングアクチュエータを示す分解斜視図である。
【図１１】本発明のさらに他の実施例によるボイスコイルモータ式フォーカシングアクチュエータを示す分解斜視図である。
【符号の説明】
【００２３】
１０ 前カバー板、１１ 底板、１３ 逃がし孔、１５ 貫通孔、１７ 第１押し引き部、１９ 嵌め込み溝、２０ 固定フレーム、２０Ａ 固定フレーム、２０Ｂ 固定フレーム、２１ フレーム本体、２１Ａ フレーム本体、２１Ｂ フレーム本体、２２ 収容スペース、２３ 磁気設置部、２４ スライド部、２４Ａ スライド部、２４Ｂ スライド部、２５ 第１嵌合部、２６ 第２嵌合部、２７ 連結キャップ、２７Ａ 連結キャップ、２７Ｂ 導接端子、３０ レンズ装着筒、３０Ａ レンズ装着筒、３０Ｂ レンズ装着筒、３１ 筒体、３２ レンズ装着部、３３ 貫通孔、３４ 連結キャップ、３４Ｂ 連結キャップ、３５ 巻装部、３５Ｂ 巻装部、３６ 当接部、３６Ａ 当接部、３６Ｂ 当接部、４０ コイル、４０Ｂ コイル、５０ 弾性支持部材、５０Ａ 弾性支持部材、５０Ｂ 弾性支持部材、５１ 連結部、５１Ａ 連結部、５１Ｂ 連結部、５２ 第１貫通孔、５２Ａ 第１貫通孔、５２Ｂ 第１貫通孔、５３ 弾性部、５３Ａ 弾性部、５３Ｂ 弾性部、５４ 第２貫通孔、５４Ａ 第２貫通孔、５４Ｂ 第２貫通孔、５５ 導接端子、５５Ａ 導接端子、５６Ａ 導接端子、７０ 後カバー板、７０Ａ 後カバー板、７１ 板体、７２ 逃がし孔、７３ 貫通孔、７４ 第２押し引き部、７５ 嵌め込み溝、７６ 凹溝、８０ 荷重カバー、８０Ａ 荷重カバー、８０Ｂ 荷重カバー、８１ カバー本体、８１Ａ カバー本体、８１Ｂ カバー本体、８２ 逃がし孔、８３ 第３押し引き部、８４ 嵌め込み溝、８５ 貫通孔、８５Ａ 凹溝、８５Ｂ 貫通孔、２１１ 金属成形物、２５１ 凸片、２６１ 凸片、Ｍ 磁石、Ｓ ロッド部材
【図１】
2008058946.tif 000003
【図２】
2008058946.tif 000004
【図３】
2008058946.tif 000005
【図４】
2008058946.tif 000006
【図５】
2008058946.tif 000007
【図６】
2008058946.tif 000008
【図７】
2008058946.tif 000009
【図８】
2008058946.tif 000010
【図９】
2008058946.tif 000011
【図１０】
2008058946.tif 000012
【図１１】
2008058946.tif 000013